(57)【要約】  側面は、HARQ-ACKのビット数と変調オーダーの関数としてACK送信に関するユークリッド距離を最大にすることを記述する。符号化はHARQ-ACKのエスケープシーケンスをコンステレーションすることを含む。ここで、エスケープシーケンスの数はビット数と変調オーダーに基づいている。多重に符号化されたACKブロックは、“タイムファースト”方式のような、符号化されたデータとインターリーブされたデータとで多重化されるベクトル列を取得するために結合される。スクランブリングは、サイズと変調オーダーの関数として実行される。１ビットのACKに関して、スクランブリングは、ACKに関する送信に関する任意のコンステレーションで任意の２つの角を得るように実行される。２ビットのACKに関して、スクランブリングは、ACKに関する送信に関する任意のコンステレーションで任意の４つの角を得るように実行される。
2011516008.tif 000002
【特許請求の範囲】
【請求項１】
肯定応答（ACK）または否定応答（NAK）送信に関するユークリッド距離を最大にすることに関する方法であって、
ビットシーケンスを得るための変調オーダー及び、少なくとも一つの装置に関して意図される前記ACKのサイズの関数としてACK送信を符号化することと、
前記変調オーダーの関数として２つ以上のビットシーケンスを結合することと、
前記ACK送信及び前記変調オーダーの前記サイズの関数として前記結合したビットシーケンスをスクランブリングすること、前記スクランブリングはデータチャネルに組み込まれた前記ACK送信のコンステレーションサイズを制限する、と
前記少なくとも一つの装置からパケットの受信に応答してACK送信を前記少なくとも一つの装置に送信することと、
を具備する方法。
【請求項２】
前記スクランブリングが、１ビットのACK送信に関してコンステレーションサイズをバイナリ位相シフトキーイング（BPSK）へ制限する請求項１記載の方法。
【請求項３】
前記スクランブリングが、２ビットのACK送信に関してコンステレーションサイズをクアドラチャ位相シフトキーイング（QPSK）へ制限する請求項１記載の方法。
【請求項４】
前記ACK送信の前記サイズが１ビットであり、及び変調オーダーが２であり、前記コード化されたビットシーケンス
【数１】
2011516008.tif 000070
が、
【数２】
2011516008.tif 000071
である
【数３】
2011516008.tif 000072
としてスクランブルされる請求項１記載の方法。
【請求項５】
前記ACK送信の前記サイズが１ビットであり、及び変調オーダーが４であり、前記コード化されたビットシーケンス
【数４】
2011516008.tif 000073
が、
【数５】
2011516008.tif 000074
としてスクランブルされる請求項１記載の方法。
【請求項６】
前記ACK送信の前記サイズが１ビットであり、及び変調オーダーが６であり、前記コード化されたビットシーケンス
【数６】
2011516008.tif 000075
が、
【数７】
2011516008.tif 000076
としてスクランブルされる請求項１記載の方法。
【請求項７】
前記ACK送信の前記サイズが２ビットであり、及び変調オーダーが２であり、前記コード化されたビットシーケンス
【数８】
2011516008.tif 000077
が、
【数９】
2011516008.tif 000078
としてスクランブルされる請求項１記載の方法。
【請求項８】
前記ACK送信の前記サイズが２ビットであり、及び変調オーダーが４であり、前記コード化されたビットシーケンス
【数１０】
2011516008.tif 000079
が、
【数１１】
2011516008.tif 000080
としてスクランブルされる請求項１記載の方法。
【請求項９】
前記ACK送信の前記サイズが２ビットであり、及び変調オーダーが６であり、前記コード化されたビットシーケンス
【数１２】
2011516008.tif 000081
が、
【数１３】
2011516008.tif 000082
としてスクランブルされる請求項１記載の方法。
【請求項１０】
ビットシーケンスを得るためにエスケープシーケンスを伴ったACKを符号化することと、２つ以上のビットシーケンスを結合することと、前記ACKのサイズと変調オーダーの関数として前記結合したビットシーケンスをスクランブリングすることと、前記ACKを送信することと、に関連した命令を保持するメモリーと、
前記メモリーに保持された前記命令を実行するように構成された、前記メモリーに接続されたプロセッサーと、
を具備する通信装置。
【請求項１１】
前記スクランブリングが、データチャネルに組み込まれた前記ACK送信のコンステレーションサイズを制限する請求項１０の通信装置。
【請求項１２】
前記スクランブリングが、１ビットのACK送信に関するコンステレーションサイズをバイナリ位相シフトキーイング（BPSK）への制限する請求項１０記載の通信装置。
【請求項１３】
前記スクランブリングが、２ビットのACK送信に関するコンステレーションサイズをクアドラチャ位相シフトキーイング（QPSK）への制限する請求項１０記載の通信装置。
【請求項１４】
エスケープシーケンスを伴った前記符号化が、前記ACK送信の前記サイズと前記変調オーダーの関数である請求項１０記載の通信装置。
【請求項１５】
１ビットのACKの前記スクランブリングが、前記ACKの前記送信に関するコンステレーションの任意の２つの角を得る請求項１０記載の通信装置。
【請求項１６】
２ビットのACKの前記スクランブリングが、前記ACKの前記送信に関するコンステレーションの任意の４つの角を得る請求項１０記載の通信装置。
【請求項１７】
アップリンクで肯定応答（ACK）送信の信頼性を改善する通信装置であって、
ACKの前記サイズと変調オーダーの関数としてエスケープシーケンスを伴ったACK送信を符号化するための手段と、
多重に符号化されたACKブロックの連結によってビットシーケンスを取得するための手段と、
前記ACKサイズとHARQ-ACKを取得するための変調オーダーの関数としてインターリーブされたビットシーケンスをスクランブリングするための手段と、
前記HARQ-ACKを伝送するための手段と、
を具備する通信装置。
【請求項１８】
前記ACKの前記サイズが１ビットまたは２ビットであり、前記変調オーダーがQPSKに関しては２、１６QAMに関しては４、及び６４QAMに関しては６である請求項１７記載の通信装置。
【請求項１９】
コンピューターに、２ビットの肯定応答（ACK)とは異なる１ビットのACKを符号化させるための第１のコードのセット、前記符号化は変調オーダーの関数であり、と、
前記コンピューターに、前記符号化から取得された多数の符号化されたブロックを結合させるための第２のコードのセットと、
前記コンピューターに、前記結合した多数の符号化されたブロックをスクランブルさせるための第３のコードのセット、前記スクランブリングはACKビット数と前記変調オーダーの関数であり、と、
前記コンピューターに、前記スクランブルされ符号化されたブロックを送信させるための第４のコードのセットと、
を具備するコンピューター読み取り可能な媒体を具備するコンピュータープログラム製品。
【請求項２０】
ACK/NAK送信に関するユークリッド距離を最大にするように構成された少なくとも１つのプロセッサーであって、
前記ACKの前記サイズが１ビットまたは２ビットであり、前記ACKのサイズとビットシーケンスを取得するための変調オーダーに基づいて肯定応答（ACK）送信を符号化するための第１のモジュールと、
２ビット以上のビットシーケンスを結合するための第２のモジュールと、
前記ACKの前記サイズ及び前記変調オーダーの関数として前記結合したビットシーケンスをスクランブリングするための第３のモジュール、前記スクランブリングは、１ビットのデータチャネルに組み込まれた前記ACKのコンステレーションサイズをBPSKに制限し、２ビットのデータチャネルに組み込まれた前記ACKのコンステレーションサイズをQPSKに制限し、と、
前記ACKを送信するための第４のモジュールと、
を具備する少なくとも１つのプロセッサー。
【発明の詳細な説明】
【関連出願】
【０００１】
この出願は、参照することにより全体がここに組み込まれ、本願の譲受人に譲渡され、「無線通信システムにおけるACK送信のための方法及び装置」と題する２００８年３月２６日に出願された米国仮出願第６１／０３９，７２４の優先権を主張する。
【技術分野】
【０００２】
次の記述は無線通信に一般的に関連し、ACK/NAKに関する符号化、スクランブリング、及び変調のユークリッド距離を最大にすることにさらに特に関連する。
【背景技術】
【０００３】
無線通信システムは、音声、データ、ビデオ、音楽などのような通信容量の様々なタイプを提供するために広く利用される。これらのシステムは、利用可能なシステム源（例えば、帯域、送信パワー）を共有することによって多数のユーザーとの通信をサポートすることが可能なマルチアクセスシステムであるかもしれない。このようなマルチアクセスシステムの例は、符号分割多重接続（CDMA）システム、時分割多重接続（TDMA）システム、周波数分割多元接続（FDMA）システム、３ＧＰＰロングタームエボリューション（LTE）システム、直交周波数分割多元接続（OFDMA）システム、その他を含む。
【０００４】
一般に、無線マルチアクセス通信システムは、多数の無線端末に関する通信を同時にサポートすることができる。各々の端末はフォワードリンクとリバースリンク上の送信を経由し１つ以上の基地局と通信する。フォワードリンク（またはダウンリンク）は基地局から端末への通信リンクを示し、リバースリンク（または、アップリンク）は端末から基地局への通信リンクを示す。この通信リンクは、シングルインシングルアウト、マルチプルインシングルアウト、またはマルチプルインプットマルチプルアウトプット（MIMO）システムを経由し確立されることができる。
【０００５】
端末または装置はお互いに通信し、パケットを往復して送信し、送信装置はパケットがうまく受信されたかどうか、またはパケットが再送信されるべきかどうかを知らされるべきだ。このように、受信装置はパケットがうまく受信されたということを示す肯定応答（ACK）を送信することが可能である。もしパケットがうまく受信されなかったならば、否定応答（NAK）が送信される。この否定応答はパケットが再送信されるべきということを示す。
【０００６】
ハイブリッド・オートマチック・リピート・リクエスト（HARQ）は、エラーのサブセットを訂正するフォワードエラー訂正コードを利用し、訂正不可能なエラーを検出するエラー検出に応答する。誤って受信したパケットは捨てられ、受信している装置はうまく受信されなかったパケットの再送信を要求する。HARQプロテクションはデータのために利用可能であるが、アップリンクのACK/NAKの再送信は、HARQプロテクションを持たない。
【発明の概要】
【０００７】
次のことは、１つ以上の側面の基本的な理解を提供するために１つ以上の側面の最も簡単な要約を提供する。この要約は全ての意図された側面の広大な概観ではなく、全ての側面の主要な要素または重大な要素を特定するのでもなく、任意のまたは全ての側面の範囲を詳細に説明するのでもないことを意図する。その単一の目的は、後に示されるより詳細な記述に前置きとして簡素化された形式で１つ以上の側面のいくつかの概念を提供することである。
【０００８】
側面は、コンステレーションの端に対応するコンステレーションポイントを選択することによってアップリンクのACK送信の信頼性を改善することに関連する。１つの側面はACK/NAK転送に関するユークリッド距離を最大にするための方法に関連する。その方法はビットシーケンスを取得するための変調とACKのサイズの関数としてACK送信を符号化することを含む。ACK転送は少なくとも１つの装置に関して意図される。その方法は、変調オーダーの関数として２つ以上のビットシーケンスを結合することと、ACK送信のサイズと変調オーダーの関数として結合されたビットシーケンスをスクランブリングすることも含む。そのスクランブリングは、データチャネルに組み込まれたACK送信のコンステレーションサイズを制限する。さらに、その方法は、少なくとも１つの装置からのパケットの受信への返答で少なくとも１つの装置にACK送信を送信することを含む。
【０００９】
他の側面は、メモリー及びプロセッサーを含む通信装置に関連する。メモリーはビットシーケンスを取得するためにエスケープシーケンスを伴ったACKを符号化することと、２つ以上のビットシーケンスを結合することと、ACKのサイズと変調オーダーの関数として結合されたビットシーケンスをスクランブリングすることと、ACKを送信することに関連する。プロセッサーはメモリーに接続され、メモリー内に記憶された命令を実行するように構成される。
【００１０】
さらに他の側面は、アップリンクでACK送信の信頼性を改善する通信装置に関連する。その装置は、ACKのサイズ及び変調オーダーの関数としてエスケープシーケンスを伴ったACK送信を符号化することに関する手段と、多重に符号化されたACKブロックの連結によってビットシーケンスを取得するための手段を含む。装置はHARQ-ACKを取得するための変調オーダーとACKサイズの関数としてインターリーブされたビットシーケンスをスクランブリングするための手段と、HARQ-ACKを伝達するための手段をも含む。
【００１１】
さらに他の側面はコンピューター読み取り可能な媒体を具備しているコンピュータープログラム製品に関連する。コンピューター読み取り可能な媒体は２ビットのACKとは異なる１ビットACKを符号化することをコンピューターにさせるための第１のコードのセットを含む。符号化は変調オーダーの関数である。コンピューター読み取り可能な媒体は、符号化から取得された多数の符号化されたブロックをコンピューターに結合させるための第２のコードのセットを含む。また、含まれるものは、結合された多くの符号化されたブロックをコンピューターにスクランブリングさせるための第３のコードのセット、及びスクランブルされ、符号化されたブロックをコンピューターに送信させるための第４のコードのセットを含む。スクランブリングは、ACKビット数と変調オーダーの関数である。
【００１２】
さらに他の側面は、ACK/NAK送信に関するユークリッド距離を最大にするように構成された少なくとも１つのプロセッサーに関連する。プロセッサーはビットシーケンスを取得するための変調オーダー及びACKのサイズに基づいてACK送信を符号化するための第１のモジュールを含む。ACKのサイズは１ビットまたは２ビットである。プロセッサーは、２つ以上のビットシーケンスを結合するための第２のモジュールとACKのサイズと変調オーダーの関数として結合されたビットシーケンスをスクランブリングするための第３のモジュールも含む。スクランブリングは、1ビットのデータチャネルに組み込まれたＡＣＫのコンステレーションサイズをバイナリ位相シフトキーイング（ＢＰＳＫ）に制限し、2ビットのデータチャネルに組み込まれたACKのコンステレーションサイズをクアドラチャ位相シフトキーイング（ＱＰＳＫ）に制限する。また、プロセッサーに含まれるものは、ACKを送信することに関する第４のモジュールである。
【００１３】
前述及び関連する目的を成し遂げるために、１つ以上の側面が、この後に完全に記述され、請求項で特に指摘された特徴を具備する。次の記述と添付された図面は１つ以上の側面のある説明の訳に立つ特徴を詳細に説明する。しかしながら、これらの特徴は、様々な側面の原理が利用されるかもしれない少数ではない様々な方法の徴候がある。他の利点と新しい特徴は、図面と開示された側面に関連して考慮されたものが、全てのこれらの側面とそれらと等価なものを含むように意図される時、次の詳細な記述から明らかになるだろう。
【図面の簡単な説明】
【００１４】
【図１】図１は、コンステレーションの端に対応しているコンステレーションポイントを選択することによって、ACK/NAKに関する符号化、スクランブリング、及び変調のユークリッド距離を最大にするためのシステムを例証する。
【図２】図２は、側面に従った、変調マッピングを例証する。
【図３】図３は、コンステレーションの端に対応しているコンステレーションポイントを選択することによってアップリンクのACK転送の信頼性を改善するためのシステムを例証する。
【図４】図４は、側面に従った、1ビットのHARQ―ACKを符号化すること及びスクランブリングすることに関する方法を例証する。
【図５】図５は、側面に従った、1ビットのHARQ−ACKをスクランブリングするための方法を例証する。
【図６】図６は、側面に従った、２ビットのHARQ―ACKを符号化し及びスクランブリングするための方法を例証する。
【図７】図７は、側面に従った、２ビットのHARQ−ACKをスクランブリングするための方法を例証する。
【図８】図８は、側面に従って、ACK／NAKに関するユークリッド距離を最大にする符号化、スクランブリング、変調を利用する例示のシステムを例証する。
【図９】図９は、１つ以上の開示された側面に従ったACK/NAKに関するユークリッド距離を最大にすることを容易にするシステムを例証する。
【図１０】図１０は、この中で示された様々な側面に従ったACKの送信に関する任意のコンステレーションの角を得ることを容易にするシステムの例証である。
【図１１】図１１は、１つ以上の側面に従った多重アクセス無線通信システムを例証する。
【図１２】図１２は、様々な側面に従って、例示の無線通信システムを例証する。
【発明を実施するための形態】
【００１５】
様々な側面が図を参照しながら、これから記述される。次の記述の中で、説明の目的のために、多数の特定の詳細が１つ以上の側面の完全な理解を提供するために説明される。しかしながら、このような側面はこれらの特定の詳細なしに実施されるかもしれないということは明らかであるだろう。他の例で、周知の構造と装置はこれらの側面を記述することを容易にするためにブロック図の形式で示される。
【００１６】
この出願の中で使用されるように、用語“部品”、“モジュール”、“システム”、同様なものは、コンピューターに関連した全体と、ハードウェア、ファームウェア、ハードウェアとソフトウェアの結合、ソフトウェア、または実行中のソフトウェアのいずれかに関連するように意図される。例えば、部品はプロセッサー、オブジェクト、実行ファイル、実行スレッド、プログラム、及び/またはコンピューター、プロセッサーを動かしているプロセス、であるかもしれないが、これらに限定されない。図によって、計算装置を動かしているアプリケーションと計算装置は部品であることが可能である。１つ以上の部品が、プロセス及び/または実行スレッド内に存在することが可能であり、部品は、１つのコンピューターに局在化されるかもしれない、及び/または２つ以上のコンピューター間に分散されるかもしれない。さらに、これらの部品は、様々なコンピューター読み取り可能な媒体に格納された様々なデータ構造を持っている様々なコンピューター読み取り可能な媒体から実行されることが可能である。その部品は、１つ以上のデータパケット（例えば、ローカルシステム内で、分散システム内で、及び/または信号によって他のシステムを伴うインターネットのようなネットワークを介して他のコンポーネントと情報を伝え合うデータ）を持っている信号に従うようなローカル、及び/または遠隔処理によって通信するかもしれない。
【００１７】
さらに、様々な側面が携帯装置と関連してここに記述される。携帯装置はシステム、加入者ユニット、加入者局、モバイル局、モバイル、無線端末、ノード、装置、遠隔局、遠隔端末、アクセス端末、ユーザー端末、端末、無線通信機（device）、無線通信装置（apparatus）、ユーザーエージェント、ユーザー装置、またはユーザー装置（UE）。携帯装置は、無線システムを介して通信するための携帯電話、コードレス電話、セッション確立プロトコル(SIP)電話、スマートフォン、無線ローカルループ（WLL）ステーション、個人情報端末（PDA）、ラップトップ、ハンドヘルド通信装置、ハンドヘルド計算装置、衛星ラジオ、無線モデムカード、及び/または他の処理装置であることが可能である。さらに、様々な側面が基地局に関連してここに記述される。基地局は無線端末と通信するために利用されることが可能であり、アクセスポイント、ノード、ノードB、e-ノードB、e-NB、またはいくつかの他のネットワーク全体、とも呼ばれることが可能であり、そのいくつかまたは全ての機能を含むかもしれない。
【００１８】
様々な側面または特徴が、多くの、装置、部品、モジュール、同様なものを含むかもしれないシステムによって提供されるだろう。様々なシステムは、図と関連して議論された装置、部品、モジュールなどの全ては含まないかもしれない、及び/または追加の装置を含むかもしれないということは理解され、正しく評価されるべきである。これらのアプローチの結合も使用されるかもしれない。
【００１９】
さらに、主な記述の中で、単語“例示の”は、例（example）、例（instance）、または例証としてサーブしていることを意味するように使用される。“例示”として、この中で記述される任意の側面または仕様は、他の側面または仕様よりも利点がある、または好適であるように構成されることは必ずしも必要ではない。さらに、単語、例示の、の使用は具体的方法で概念を提供するように意図される。
【００２０】
図１を参照して、描かれたものは、コンステレーションの端に対応しているコンステレーションポイントを選択することによって、ACK/NAKに関するコーディング、スクランブリング、変調のユークリッド距離を最大にするためのシステム１００である。システム１００は、コンステレーションの端に対応したコンステレーションポイントを選択することによってアップリンクでACK/NAK転送の信頼性を改善することを助けるように構成される。ACK/NAKに関して、制御信号に関して使用される変調シンボルは、フィジカルアップリンクシェアードチャネル（PUSCH）補正方法にかかわらず、１ビットまたは２ビットのコード化された制御情報を伝送する。システム１００は、ACK/NAK情報のコーディングのエスケープシーケンスを利用し、ここでエスケープシーケンスは正確に中断されることが可能である。様々な側面はACKに関して記述されるだろうけれども、これらの側面はNAK送信にも適用されることが可能である。
【００２１】
システム１００に含まれるものは、第２の装置１０４と通信する第１の装置１０２である。第１の装置１０２と第２の装置１０４は、情報を送信及び受信の両方をするように構成される。様々な側面を記述する間、第１の装置１０２は送信器としても示されるかもしれない。第２の装置は受信器として示されるかもしれない。多くの送信器１０２と受信器１０４がシステム１００内に含まれることが理解されるが、単一の受信器１０４に通信データ信号を送信する単一の送信器１０２は、簡素化の目的のために描かれる。
【００２２】
この詳細な記述の目的のために、送信器１０２は受信器１０４からパケットを受信して、応答として肯定応答（ACK）または否定応答（NAK）を受信器１０４に送信することになっている。ACKは（第２の装置１０４から）受信したデータが正確に受信されたことを示す肯定応答を具備する。NAKは、データがエラーを伴って受信されたということを示し、従って、データ（例えば、パケット）は再送信されるべきだ。ACK/NAKに関して、符号化すること、スクランブリングすること、変調は、ユークリッド距離を最大化するだろう。（周波数分割複信（FDD）の場合の）ACK/NAKに関して、フィジカルアップリンクシェアードチャネル（PUSCH）変調方式にかかわらず、制御信号に関して使用される変調シンボルは、コード化された制御情報のせいぜい２ビットで伝送される。
【００２３】
ユークリッド距離を最大化するために、符号化器１０６は、ビット数（例えば、１ビット、２ビット）と変調オーダーQmの関数として、ACK情報を符号化するように構成されることが可能である。変調オーダーQmは、２、４、または６のオーダーであることが可能である。２の変調オーダーは、クアドラチャ位相シフトキーイング（QPSK）に対応する。４の変調オーダーは、QPSKの高次の変調である１６QAM(直交振幅変調)に対応する。６の変調オーダーは１６QAMよりも高次の変調である６４QAMに対応する。より高次の変調は、変調アルファベットが、変調シンボルごとのより多くのビットの情報の通信に関して許可する追加のシグナリング代替を含むように拡張されることを暗に意味する。QPSKに関して、変調アルファベットは４つの異なるシグナリング代替を構成する。１６QAM変調に拡張することは、１６個の異なるシグナリング代替を提供する。６４QAMへのさらなる拡張は、６４つの異なるシグナリング代替の有効性を提供する。
【００２４】
前に述べたように、符号化器１０６は、ビット数と変調オーダーQmの関数としてACK情報を符号化するように構成される。下の表（表１）では、“ｘ”がエスケープ文字列を表し、特定のスクランブリング関数が行われるだろうスクランブラー１１０を知らせるために利用される１ビットのHARQ-ACKの符号化を描く。
【表１】
2011516008.tif 000003
【００２５】
下の表（表２）は、２ビットのHARQ-ACKの符号化を描く。
【表２】
2011516008.tif 000004
【００２６】
符号化器１０６は、多数の符号化されたHARQ-ACKブロックの連結によって
【数１】
2011516008.tif 000005
【００２７】
の符号化されたビットシーケンスを取得する、ここでQACKは、全ての符号化されたHARQ-ACKブロックに関するコード化されたビットの総数である。これらは、後にエンコーディングチェーンの中で、ブロックが変調器の中に入力されるため、ブロックとして得られる。従って、QPSK変調器は、２のセットの中で多重に符号化されたHARQ-ACKブロックの連結を取るだろう。１６QAM変調器は、４のセットの中で多重に復号化されたHARQ-ACKブロックの連結を取るだろう。さらに、６４QAM変調器は、６のセットの中で多重に復号化されたHARQ-ACKブロックの連結を取るだろう。
【００２８】
HARQ-ACK情報に関するチャンネルコーディングのベクトルシーケンス出力は、
【数２】
2011516008.tif 000006
【００２９】
によって示される。ここで、
【数３】
2011516008.tif 000007
【００３０】
である。ベクトルシーケンスは次のように得られる。
【数４】
2011516008.tif 000008
【００３１】
ベクトルシーケンス
【数５】
2011516008.tif 000009
【００３２】
は、インターリーバー１０８によって、符号化されたデータと多重化された“タイムファースト”方式でインターリーブされる。チャンネルインターリーバー１０８の出力はPUSCHの処理への入力である。スクランブラー１１０は、ACKが１ビットACKまたは２ビットACKであるかどうかに依存し、且つ、変調オーダー（例えば、QPSK、１６QAM、６４QAM）に依存している次の操作を行う。従って、スクランブリングはサイズと変調オーダーの関数である。
【００３３】
スクランブラー１１０は、PUSCHでACKの送信（例えば、有効バイナリ位相シフトキーイング（BPSK）変調）に関して、任意のコンステレーションで２つの角を取得することを試みる。従って、２のQM（ＱＰＳＫ）を伴った１ビットのACKに関して、コード化されたビットシーケンス
【数６】
2011516008.tif 000010
【００３４】
は
【数７】
2011516008.tif 000011
【００３５】
としてスクランブリングされる。ここで、
【数８】
2011516008.tif 000012
【００３６】
。このスクランブリングは、次の擬似コードに従って行われることが可能である。
【数９】
2011516008.tif 000013
【００３７】
ここで、ｘとｙはタグであり、c(i)はスクランブリング用シーケンスである。このスクランブリング用シーケンス生成器１１２は、各々のサブフレームの始まりで
【数１０】
2011516008.tif 000014
【００３８】
で初期化されることが可能であり、ここで、nRNTIは、PUSCH送信と関連したラジオネットワークテンポラリId（RNTI）に対応する。
【００３９】
４のQM（１６QAM）を伴った１ビットACKに関して、コード化されたビットシーケンス
【数１１】
2011516008.tif 000015
【００４０】
は、
【数１２】
2011516008.tif 000016
【００４１】
としてスクランブルされる。６のQM（６４QAM）を伴った１ビットACKに関して、コード化されたビットシーケンス
【数１３】
2011516008.tif 000017
【００４２】
は、
【数１４】
2011516008.tif 000018
【００４３】
としてスクランブルされる。
【００４４】
２ビットのACKに関して、スクランブラー１１０はPUSCHでACKの送信（例えば、効果的なQPSK変調）に関して、任意のコンステレーションで４つの角を取得することを試みる。従って、２のQm（QPSK）で２ビットのACKに関して、コード化されたビットシーケンス
【数１５】
2011516008.tif 000019
【００４５】
は
【数１６】
2011516008.tif 000020
【００４６】
としてスクランブルされる。もし、ACKが２ビット、且つQmが４（１６QAM）ならば、コード化されたビットシーケンス
【数１７】
2011516008.tif 000021
【００４７】
は
【数１８】
2011516008.tif 000022
【００４８】
としてスクランブルされる。もし、Qmが６（６４QAM）、且つ２ビットならば、コード化されたビットシーケンス
【数１９】
2011516008.tif 000023
【００４９】
は
【数２０】
2011516008.tif 000024
【００５０】
としてスクランブルされる。
【００５１】
上述したように、スクランブリングの間、“１ｓ”が付け加えられる。しかしながら、いくつかの側面に従って、“１”が使用されるのではなく、“２”または、非ゼロの１、または非バイナリの１など、のような他の何かが使用される。送信器１０２によって行われる処理の残り（例えば、変調、変換プリコーダー、など）は、制御情報が存在か非存在か透過的である。信号生成器１１２は、ACK/NAKを第２の装置１０４に伝送するように構成される。
【００５２】
システム１００は、第１の装置１０２に動作可能なように接続されたメモリー１１４を含むことが可能である。メモリー１１４は、第１の装置１０２に外付けされることが可能であり、または第１の装置１０２の中に存在することが可能である。メモリー１１４は、符号化されたHARQ-ACKブロックを取得するためのACK送信の変調オーダーを符号化することと、ACKサイズと変調オーダーの関数としてコード化されたビットシーケンスをスクランブリングすることと、スクランブルされたビットシーケンスを送信することと、に関連した情報と、通信網で送信された信号と受信された信号に関連した情報を格納することが可能である。プロセッサー１１６は、通信網のACK送信に関するユークリッド距離を最大にすることに関する情報の分析を容易にするための第１の装置１０２（及び/またはメモリー１１４）に動作可能なように接続されることが可能である。プロセッサー１１６は、第１の装置１０２によって受信された情報を分析及びまたは生成することを専門に行うプロセッサーであり、システム１００の１つ以上の部品を制御するプロセッサーであり、及び/または第１の装置１０２によって受信された情報を分析及び生成の両方を行い、システム１００の１つ以上の部品を制御するプロセッサーであることが可能である。
【００５３】
メモリー１１４は、システム１００がここで描いたような無線ネットワークで改善された通信を達成するための格納されたプロトコル及び/またはアルゴリズムを利用することが可能であるように、第１の装置１０２と第２の装置１０４の間の通信を制御するためのアクションをとることとACK送信に関するユークリッド距離を最大することに関連するプロトコルを格納することが可能である。ここで、描かれたデータ格納（例えば、メモリー）部品は、揮発性メモリーまたは不揮発性メモリーのどちらかであることが可能であり、または揮発性メモリー及び不揮発性メモリーの両方を含むことが可能である、ということは理解されるべきだ。例によって、限定されないが、不揮発性メモリーは、外部のキャッシュメモリーとして動作する、読み出し専用媒体（ROM）、プログラム可能な読み出し専用媒体（PROM）、消去可能プログラム可能な読み出し専用媒体（EPROM）、ランダムアクセスメモリー（RAM）を含むことが可能である。例によって、限定されないが、RAMは、スタティックランダムアクセスメモリー（SRAM）、ダイナミックランダムアクセスメモリー（DRAM）、シンクロナスダイナミックランダムアクセスメモリー(SDRAM)、ダブルデータレートシンクロナスダイナミックランダムアクセスメモリー(DDR SDRAM)、エンハンスドシンクロナスダイナミックランダムアクセスメモリー(ESDRAM)、シンクロナスリンクダイナミックアクセスメモリー（SLDRAM）、及びディレクトラムバスランダムアクセスメモリー（DRRAM）のような多数の形式で利用可能である。開示された側面のメモリーは、これらのメモリーの適切なタイプ及び他の適切なタイプに、限定されることなく、構成するように意図される。
【００５４】
開示された側面を完全に理解するために、図２は、側面に従って、変調マッピングを例証する。２０２で例証されたものは、４つの異なるシグナリング代替から構成されるQPSK変調に関するシグナルコンステレーションである。これらのシグナリング代替を可視化するために、２次元面が４つの象限２０４、２０６、２０８、及び２１０に分割される。各々の象限２０４乃至２１０の中の一つの点である、４つの点は４つの異なる代替を表している。QPSKは、各々のシンボル変調インターバルの間、２ビットまでの情報の通信に関して許可する。１ビットに関して、開示された側面は２つの角、特に“００”と“１１”に対応する、（象限２０４の）上部右側の角及び（象限２０８）の下部左側の角を得る。
【００５５】
２１２で、１６QAMに関するシグナルコンステレーションが例証される。１６QAM変調に拡張することは、１６個の異なるシグナリング代替の利用可能性を許可する。１６QAMで、情報の４ビットまでは、各々の象限２１４、２１６、２１８、及び２２０の点によって例証されるように、各々のシンボル変調の間、通信されることが可能である。１６QAM変調の状況で、ビットの４つ組、
【数２１】
2011516008.tif 000025
【００５６】
は、次の表（表３）に従って、複素数値変調シンボル
【数２２】
2011516008.tif 000026
【００５７】
にマップされる。
【表３】
2011516008.tif 000027
【００５８】
１６QAMに関して、開示された側面は、コンステレーションの４つの角を得ることを試みる。従って、上右象限２１４に関する変調マッピングは”００１１“である。上左象限２１６に関して、変調マッピングは”１０１１“である。下左象限２１８に関して、変調マッピングは”１１１１“である、及び下右象限２２０に関して、変調マッピングは”０１１１“である。このような角は、エスケープシーケンスの利用、及びこの中で開示される符号化、スクランブリング、及び変調の利用を通して得られることが可能である。
【００５９】
変調方法は、６４つの異なるシグナリング代替を提供する６４QAMにさらに拡張されることが可能である。この場合、情報の６ビットまでは、お互いの変調シンボルインターバルで通信されることが可能である。６４QAMに関するコンステレーションは２２２に例証される。６４QAM変調の状況で、ビットの６つ組、
【数２３】
2011516008.tif 000028
【００６０】
は次の表（表４）に従って複素数変調シンボル
【数２４】
2011516008.tif 000029
【００６１】
にマップされる。
【表４】
2011516008.tif 000030
【００６２】
６４QAMコンステレーション２２２は、４つの象限２２４、２２６、２２８、２３０に分けられる。上右象限２２４の角は“１０１１１１”である。上左象限２２６は“１０１１１１”である。下左象限２２８は“１１１１１１”であり、下右象限２３０は“０１１１１１”である。開示された側面の開示された符号化、スクランブリング、及び変調はコンステレーション２２２の４つの角を取得するためにユークリッド距離を最大にすることが可能である。
【００６３】
図３は、コンステレーションの端に対応するコンステレーションポイントを選択することによって、アップリンクでACK送信の信頼性を改善するためのシステム３００を例証する。システム３００は、PUSCHの信号ACK/NAKに使用される最大の変調オーダーを制限することが可能である。システム内に含まれるものは送信器３０２、受信器３０４と名付けられた２つの装置である。用語「送信器」及び用語「受信器」は簡素化の目的のために利用され、装置３０２及び３０４の両方は通信を送信及び受信することが可能である。
【００６４】
送信器３０２は、ビット数と変調オーダーのQｍの関数として１ビット及び２ビットのHARQ-ACKを符号化するように構成される符号器３０６を含む。また、含まれるものは、例えば、“タイムファースト”方式で符号化されたデータをインターリーブするように構成されるインターリーバー３０８である。また、送信器３０２に含まれるものは、信号生成器３１２によって、受信器３０４に伝送されるACKをスクランブルするように構成されたスクランブラー３１０である。
【００６５】
１ビット及び２ビットのHARQ-ACKsの適切な符号化を行うために、符号器３０６は表A３１４及び表B３１６に含まれることが可能である情報を参照するように構成されることが可能である。表A３１６は１ビットのHARQ-ACKの符号化に関連される情報を含むことが可能である。表B３１６は２ビットのHARQ-ACKの符号化に関連される情報を含むことが可能である。表３１４、表３１６の各々は変調オーダーQmに相互参照を含むことが可能である。
【００６６】
例えば、表A３１４は、１ビット及び２のQm（QPSK）に関して、符号化されたHARQ-ACKは
【数２５】
2011516008.tif 000031
【００６７】
である。“x”は、HARQ-ACK情報を伝送している変調シンボルのユークリッド距離を最大にする方法で、HARQ-ACKを（スクランブラー３１０によって）スクランブルするために利用されることが可能であるエスケープシーケンスまたはプレースホールダーを表している。４のQm（１６QAM）及び１ビットに関して、符号化されたHARQ-ACKは、３つのエスケープシーケンス（または、プレースホールダー）を含む
【数２６】
2011516008.tif 000032
【００６８】
である。６のQm（６４QAM）と１ビットに関して、符号化されたHARQ-ACKは５つのエスケープシーケンス(または、プレースホールダー)を含む
【数２７】
2011516008.tif 000033
【００６９】
である。
【００７０】
表B３１６は、２のQm（QPSK）を伴った２ビットHARQ-ACKの符号化に関して、符号化されたHARQ-ACKは
【数２８】
2011516008.tif 000034
【００７１】
が提供されることが可能である。２ビット及び４のQm（１６QAM）に関して、符号化されたHARQ-ACKは２つのエスケープシーケンス（またはプレースホールダー）を含み、
【数２９】
2011516008.tif 000035
【００７２】
として表される。さらに、２ビット及び６のQmに関して、符号化されたHARQ-ACKは４つのプレースホールダーまたはエスケープシーケンスを含み、
【数３０】
2011516008.tif 000036
【００７３】
として表される。従って、もしHARQ-ACKが１ビットの情報を含むならば、それは表A３１４にしたがって符号化される。もしHARQ-ACKが２ビットの情報を含むならば、それは表B３１６に従って符号化される。
【００７４】
多重に符号化されたHARQ-ACKブロックの連結３１８は、ビットシーケンスを取得ために実行され、ベクトル列が得られる。ベクトル列は、符号化されたデータと一緒に多重化され、“タイムファースト”方式で（インターリーバー１０８によって）インターリーブされる。スクランブラー１１０は、ACKのサイズ（１ビットACK３２０または２ビットACK３２２）及び変調オーダー３２４の関数としてスクランブリングを行う。
【００７５】
システム３００は、送信器３０２に動作可能なように接続されるメモリー３２６及びプロセッサー３２８をも含む。メモリー３２６は、データ送信に関して使用される変調オーダーにかかわらず、１ビットのACKに関するBPSK及び２ビットのACKに関するQPSKに、データチャネルに組み込まれたACK送信の変調オーダーを制限するためのACK符号化及びスクランブリングに関連する命令を記憶する。プロセッサー３２８はメモリー３２６に接続され、メモリー３２６に記憶される命令を実行するように構成される。
【００７６】
上で示され、記述された例示のシステムを考慮して、開示された趣旨に従って実施されるかもしれない手順は、次のフローチャートを参照してより良く理解されるだろう。説明の簡素化の目的のために、手順は一連のブロックとして示され、記述される一方で、いくつかのブロックは、この中に描かれ、記述されるものから、実質的に同時に、及び/または異なるオーダーで生じるかもしれないので、請求された趣旨は、ブロック数またはブロックのオーダーによって限定されないということは理解されるべきであり、正しく評価されるべきである。さらに、例証されたブロックの全てが、この中で記述された手順を実施する必要はない。機能的に関連したブロックはソフトウェア、ハードウェア、その組み合わせまたは他の適切な手段（例えば、装置、システム、プロセス、コンポーネント）によって実施されるかもしれないということは理解されるべきだ。加えて、この後に開示された手順と全てのこの仕様は、様々な装置にこのような手順を輸送することと、転送することを容易にするために、記憶媒体に格納されることが可能である。当業者は手順が、状態図のような一連の相関の状態またはイベントとして代わりに表されるだろうということを理解され、正しく評価されるだろう。
【００７７】
図４は、側面に従って、１ビットのHAEQ-ACKを符号化すること及びスクランブリングすることに関する方法４００を例証する。符号化とスクランブリングはビット数と変調オーダーの関数として決定されることが可能である。変調オーダーQmは、２（QPSK）、４（１６QAM）、または６（６４QAM）であることが可能である。４０２で、もしＱmが２であれば、HARQ-ACKブロックは１つのエスケープシーケンス（または、プレースホールダー）を加えることによって得られる。従って、符号化されたHARQ-ACKは
【数３１】
2011516008.tif 000037
【００７８】
である。その他に、４０４で、Qmが４であれば、HARQ-ACKブロックは３つのエスケープシーケンス（または、プレースホールダー）を加えることによって得られる。Qm４に関して、符号化されたHARQ-ACKは
【数３２】
2011516008.tif 000038
【００７９】
である。もしQmが６ならば、HARQ-ACKブロックは、４０６で５つのエスケープシーケンス(または、プレースホールダー)を加えることによって得られ、符号化されたHARQ-ACKは
【数３３】
2011516008.tif 000039
【００８０】
である。
【００８１】
４０８で、ビットシーケンスは、４０２、４０４、または４０６で得られたように、多重に符号化されたHARQ-ACKsの連結によって生成される。符号化されたHARQ-ACKsは、さらなる処理が行われた時、ブロックが適切な方法で利用されるように、ブロックとして扱われる。例えば、QPSK変調は、２のセットの中で多重に符号化されたHARQ-ACKの連結を取るだろう。１６QAM変調は、４のセットの中で多重に符号化されたHARQ-ACKの連結を取るだろう。６４QAM変調は、６のセットの中で多重に符号化されたHARQ-ACKの連結を取るだろう。
【００８２】
４１０で、ビットシーケンスはスクランブルされる。このスクランブリングは、４１２で、第１のエスケープシーケンスが複製ビットである、前のスクランブルされたビットを複製することが可能である。４１４で、エスケープシーケンスの残り（もし、あれば）が“１ｓ”を付け加えられる。スクランブリングに関連する更なる情報が次の図を参照して記述されるだろう。
【００８３】
図５は、側面に従った１ビットのHARQ-ACKsをスクランブリングするための方法５００を例証する。１ビットHARQ-ACKは、図４を参照し記述されるように、符号化されることが可能である。HARQ-ACKのスクランブリングは、ACKのサイズ（例えば、１ビット）及び変調オーダー（例えば、QPSK、１６QAM、６４QAM）の関数である。５０２で、もし変調オーダーQmが２（QPSK）ならば、コード化されたビットシーケンス、
【数３４】
2011516008.tif 000040
【００８４】
、は、
【数３５】
2011516008.tif 000041
【００８５】
である
【数３６】
2011516008.tif 000042
【００８６】
としてスクランブルされる。その他に、もし、変調オーダーQmが４（１６QAM）ならば、５０４で、コード化されたビットシーケンス
【数３７】
2011516008.tif 000043
【００８７】
は
【数３８】
2011516008.tif 000044
【００８８】
としてスクランブルされる。その他に、もしQmが６（６４QAM）ならば、５０６で、コード化されたビットシーケンス
【数３９】
2011516008.tif 000045
【００８９】
が
【数４０】
2011516008.tif 000046
【００９０】
としてスクランブルされる。
【００９１】
これから、図６と参照して、例証されたものは、側面に従って、２ビットのHARQ-ACKを符号化して、スクランブリングするための方法６００である。符号化とスクランブリングは、ビット数と変調オーダーの関数として決定されることが可能である。変調オーダーQmは、２（QPSK）、４（１６QAM）、または６（６４QAM）であることが可能である。
【００９２】
６０２で、２つのコード化されたビット
【数４１】
2011516008.tif 000047
【００９３】
は、もしQmが２（QPSK）ならば利用される。もしQmが４（１６QAM）ならば、２つのエスケープシーケンスが加えられ、符号化されたHARQ-ACKブロックは
【数４２】
2011516008.tif 000048
【００９４】
である。その他に、もしＱmが６（６４QAM）ならば、４つのエスケープシーケンスが加えられ、HARQ-ACKブロックは
【数４３】
2011516008.tif 000049
【００９５】
である。
【００９６】
６０８で、ビットシーケンス
【数４４】
2011516008.tif 000050
【００９７】
は、６０２、６０４、６０６で決定されるよう、多重に符号化されたHARQ-ACKブロックの連結によって得られる。側面に従って２ビットのHARQ-ACKsをスクランブリングするための方法７００を例証する図７を参照して、これから記述されるだろう、ビットシーケンスの６１０において、スクランブリングプロセスが行われる。スクランブリングは、ビット数（２ビット）と変調オーダー（例えば、QPSK、１６QAM、６４QAM）の関数として行われる。スクランブリングは、PUSCH（例えば、効果的なQPSK変調）でACKの送信に関する任意のコンステレーションの４つの角を得るために行われる。
【００９８】
７０２で、もしQmが２（QPSK）ならば、コード化されたビットシーケンス
【数４５】
2011516008.tif 000051
【００９９】
は
【数４６】
2011516008.tif 000052
【０１００】
としてスクランブルされる。その他に、もしQmが４（１６QAM）ならば、コード化されたビットシーケンス
【数４７】
2011516008.tif 000053
【０１０１】
は
【数４８】
2011516008.tif 000054
【０１０２】
として、７０４で、スクランブルされる。その他に、もしQmが６（６４QAM）ならば、コード化ビットシーケンス
【数４９】
2011516008.tif 000055
【０１０３】
が
【数５０】
2011516008.tif 000056
【０１０４】
としてスクランブルされる。
【０１０５】
図８を参照して、例証されるものは、側面に従ってACK/NAKに関するユークリッド距離を最大にするために、変調、スクランブリング、コーディングを利用する例示のシステム８００である。システム８００は、モバイル装置内部に少なくとも部分的に存在することが可能である。システム８００は、プロセッサー、ソフトウェア、または、その組み合わせ（例えば、ファームウェア）によって実行される機能を表している機能的ブロックであるかもしれない機能的ブロックを含んでいることを表していることを理解されるべきだ。
【０１０６】
システム８００は、別々にまたは関連して動作することが可能である電子部品の論理グループ８０２を含む。論理グループ８０２は、HARQ-ACKのサイズと変調オーダーの関数としてエスケープシーケンスと一緒にACK送信を符号化するための電子部品８０４を含むことが可能である。サイズは１ビットまたは２ビットであることが可能であり、変調オーダーは２（QPSK）、４（１６QAM）、または６（６４QAM）であることが可能である。
【０１０７】
また、論理グループに含まれるものは、多重に符号化されたACKブロックの連結によってビットシーケンスを取得するための電子部品８０６、及びACKのサイズと変調オーダーの関数としてインターリーブされたビットシーケンスをスクランブリングするための電子部品８０８である。スクランブリングは、データーチャンネルに組み込まれたACK送信のコンステレーションサイズを制限する。電子部品８０８は、１ビット送信に関するバイナリ位相シフトキーイング及び２ビットACK送信に関するクアドラチャ位相シフトキーイングにコンステレーションサイズを制限する。さらに、論理グループ８０２は、ACKを送信するための電子部品８１０を含む。
【０１０８】
いくつかの側面に従って、ACK送信のサイズは１ビットであり、変調オーダーは２であり、コード化されたビットシーケンス
【数５１】
2011516008.tif 000057
【０１０９】
は
【数５２】
2011516008.tif 000058
【０１１０】
としてスクランブルされる。ここで、
【数５３】
2011516008.tif 000059
【０１１１】
である。他の側面に従って、ACK送信のサイズは１ビットであり、変調オーダーは４である。コード化されたビットシーケンス
【数５４】
2011516008.tif 000060
【０１１２】
は
【数５５】
2011516008.tif 000061
【０１１３】
としてスクランブルされる。他の側面に従って、ACK送信のサイズは１ビットであり、変調オーダーは６であり、コード化されたビットシーケンス
【数５６】
2011516008.tif 000062
【０１１４】
は
【数５７】
2011516008.tif 000063
【０１１５】
としてスクランブルされる。さらに側面に従って、ACK送信のサイズは２ビットであり、変調オーダーは２であり、コード化されたビットシーケンス
【数５８】
2011516008.tif 000064
【０１１６】
は
【数５９】
2011516008.tif 000065
【０１１７】
としてスクランブルされる。さらに他の側面で、ACK送信のサイズは２ビットであり、変調オーダーは４であり、コード化されたビットシーケンス
【数６０】
2011516008.tif 000066
【０１１８】
は
【数６１】
2011516008.tif 000067
【０１１９】
としてスクランブルされる。他の側面に従って、ACK送信のサイズは２ビットであり、変調オーダーは６であり、コード化されたビットシーケンス
【数６２】
2011516008.tif 000068
【０１２０】
は
【数６３】
2011516008.tif 000069
【０１２１】
としてスクランブルされる。
【０１２２】
システム８００は、電子部品８０４、８０６、８０８、及び８１０、または他の部品と関連した機能を実行するための命令を記憶するメモリー８１２を含むことが可能である。メモリー８１２の外部にあるように示される一方、電子部品８０４、８０６、８０８、８１０の一つ以上が、メモリー８１２内部に存在することが可能であるということは理解されるべきだ。
【０１２３】
これから、図９を参照して、例証されるものは、１つ以上の開示された側面に従ってACK/NAKに関するユークリッド距離を最大にすることを容易にするシステム９００である。システム９００は、ユーザー装置内に存在することが可能である。システム９００は、例えば受信器アンテナからの信号を受信することが可能である受信器９０２を具備する。受信器９０２は、受信した信号をフィルター、増幅、ダウンコンバートなどのような、受信器９０２条の典型的なアクションを行うことが可能である。受信器９０２は、サンプルを取得するために暫定的な信号を２値化もすることが可能である。復調器９０４は、受信したシンボルをプロセッサー９０６に提供することと同様に各々のシンボル期間の間、受信したシンボルを取得することが可能である。
【０１２４】
プロセッサー９０６は、受信器部品９０２によって受信された情報を分析すること、及び/または送信器９０８によって、送信に関する情報を生成することを専門に行うプロセッサーであることが可能である。さらに、またはその代わりに、プロセッサー９０６は１つ以上のユーザー装置９００の部品を制御し、受信器９０２によって受信された情報を分析し、送信器９０８によって、送信に関する情報を生成し、及び/または１つ以上のユーザー装置９００の部品を制御することが可能である。プロセッサー９０６は、追加のユーザー装置との通信を調整することが可能な制御器部品を含むかもしれない。
【０１２５】
ユーザー装置９００は、プロセッサー９０６に動作可能なように接続されたメモリー９０８をさらに具備することが可能であり、コーディネーティングコミュニケーションに関連した情報と、他の適切な情報を格納することが可能である。メモリー９１０は、ユークリッド距離を最大にすることに関連したプロトコルをさらに格納することが可能である。ユーザー装置９００は、シンボル変調器９１２と変調された信号を送信する送信器９０８をさらに具備することが可能である。
【０１２６】
図１０は、この中で示された様々な側面に従ったACKの送信に関する任意のコンステレーションの角を得ることを容易にするシステム１０００の例証である。システム１０００は基地局、またはアクセスポイント１００２を具備する。例証されるように、基地局１００２は、受信アンテナ１００６によって、１つ以上の通信装置１００４（例えば、ユーザー装置）からの信号を受信し、送信アンテナ１００８を介して１つ以上の通信装置１００４に送信する。
【０１２７】
基地局１００２は、受信アンテナ１００６からの情報を受信し、受信した情報を復調する復調器１０１２と動作可能なように関連した受信器１０１０を具備する。復調されたシンボルは、ユークリッド距離を最大にすることに関連した情報を格納するメモリー１０１６に接続されたプロセッサー１０１４によって分析される。変調１０１８は、送信アンテナ１００８を介して送信器１０２０によって、送信に関する信号を通信装置１００４に多重化することが可能である。
【０１２８】
これから、図１１を参照して、１つ以上の側面に従った、多重アクセス無線通信システム１１００が例証される。無線通信システム１１００は、１つ以上のユーザー装置とコンタクトする１つ以上の基地局を含むことが可能である。各々の基地局は、多くのセクターに関して受信地域を提供する。３つのセクター基地局１１０２は、多重アンテナグループを含み、一つはアンテナ１１０４及びアンテナ１１０６を含み、他のものはアンテナ１１０８及びアンテナ１１１０を含み、第３にアンテナ１１１２及びアンテナ１１１４を含むということが例証される。図に従うと、ほんの２つのアンテナが、各々のアンテナグループに関して示される、しかしながら、より多くのまたはより少ないアンテナが、各々のアンテナグループに関して利用されるかもしれない。モバイル装置１１１６は、アンテナ１１１２及びアンテナ１１１４と通信し、ここでアンテナ１１１２及びアンテナ１１１４は、フォワードリンク１１１８よって、モバイル装置１１１６に情報を送信し、リバースリンク１１２０を介してモバイル装置１１１６からの情報を受信する。フォーワードリンク（または、ダウンリンク）は、基地局からモバイル装置への通信リンクを示し、リバースリンク（または、アップリンク）はモバイル装置から基地局への通信リンクを示す。モバイル装置１１２２は、アンテナ１１０４及びアンテナ１１０６と通信し、ここでアンテナ１１０４及びアンテナ１１０６は、フォワードリンク１１２４を介してモバイル装置１１２２に情報を送信し、リバースリンク１１２６を介してモバイル装置１１２２から情報を受信する。FDDシステムで、例えば、通信リンク１１１８、１１２０、１１２４、及び１１２６は通信に関する異なる周波数を利用するかもしれない。例えば、フォワードリンク１１１８は、リバースリンク１１２０によって利用される周波数と異なる周波数を使用するかもしれない。
【０１２９】
アンテナの各々のグループ、及び/または、アンテナが通信するように指定されたエリアは、基地局１１０２のセクターと呼ばれるかもしれない。１つ以上の側面で、アンテナグループの各々は、基地局１１０２によってカバーされたエリアまたはセクターで、モバイル装置と通信するように設計される。基地局は端末と通信するために使用される固定局であるかもしれない。
【０１３０】
フォワードリンク１１１８及び１１２４を介した通信で、基地局１１０２の送信アンテナは、異なるモバイル装置１１１６及び１１２２に関してフォワードリンクのシグナルノイズ比を改善するためにビームフォーミングを利用することが可能である。また、基地局のサービスエリアを介してランダムに散在されたモバイル装置に送信するためのビームフォーミングを利用している基地局は、基地局のサービスエリアの全てのモバイル装置に単一のアンテナを介して送信している基地局によって引き起こされることが可能な干渉よりも隣接するセルのモバイル装置により低い干渉を引き起こすかもしれない。
【０１３１】
図１２は、様々な側面に従って、例示の無線通信システム１２００を例証する。無線通信システム１２００は、簡潔さのために１つの基地局と一つの端末を描く。しかしながら、システム１２００は、１つの基地局またはアクセスポイント、及び/または１つ以上の端末またはユーザー装置よりも多くを含むかもしれない、ここで追加される基地局及び/または端末は、以下に記述される例示の基地局と端末と実質的に同じまたは異なることが可能であるということは理解されるべきだ。さらに、基地局及び/または端末の間で、無線通信を容易にために、この中に記述されるシステム及び/または方法を利用することが可能であるということは理解されるべきだ。
【０１３２】
これから、図１２を参照して、ダウンリンクで、アクセスポイント１２０５で、送信（TX）データプロセッサー１２１０は、トラフィックデータを受信し、フォーマットし、符号化し、インターリーブし、及び変調（またはシンボルマップ）し、変調シンボル（データシンボル）を提供する。シンボル変調器１２１５は、データシンボルとパイロットシンボルを受信し、及び処理する。そして、シンボルのストリームを提供する。シンボル変調器１２１５はデータ及びパイロットシンボルを多重化し、Nのセットの送信シンボルを得る。各々の送信シンボルはデータシンボル、パイロットシンボル、またはゼロの信号値であるかもしれない。パイロットシンボルは、各々のシンボル期間で連続的に送信されるかもしれない。パイロットシンボルは、周波数分割多元（FDM）、直交周波数分割多元（OFDM）、時分割多重（TDM）、周波数分割多元（FDM）、または符号分割多重（CDM）であることが可能である。
【０１３３】
送信ユニット（TMTR）１２２０は、シンボルのストリームを受信し、１つ以上のアナログ信号に変換し、無線チャネルによって送信に関して適切なダウンリンク信号を生成するためにアナログ信号をさらに調節（例えば、増幅、フィルター、及び周波数アップコンバーター）する。ダウンリンク信号は、アンテナ１２２５を介して端末に送信される。端末１２３０で、アンテナ１２３５は、ダウンリンク信号を受信し、受信した信号を受信器ユニット（RCVR）１２４０に提供する。受信器ユニット１２４０は、受信した信号を調節（例えば、フィルター、増幅、及び周波数ダウンコンバーター）し、サンプルを得るために、調節した信号を２値化する。シンボル変調器１２４５はN個の受信したシンボルを得て、チャネル推定のために、プロセッサー１２５０に受信したパイロットシンボルを提供する。シンボル変調器１２４５は、プロセッサー１２５０からダウンリンクに関する周波数応答推定をさらに受信し、（送信されたデータシンボルの推定である）データシンボル推定を得るために、受信したデータシンボルにデータ復調を行い、送信されたトラフィックデータを回復するためにデータシンボル推定を変調(例えば、シンボルデマップ)し、デインターリーブし、復号化するRXデータプロセッサー１２５５にエータシンボル推定を提供する。シンボル復調器１２４５及びRXデータプロセッサー１２５５による処理は、アクセスポイント１２０５で、シンボル変調器１２１５とTXデータプロセッサー１２１０による処理とそれぞれ相補的である。
【０１３４】
アップリンクで、TXデータプロセッサー１２６０は、トラフィックデータを処理し、データシンボルを提供する。シンボル変調器１２６５は、パイロットシンボルを伴ったデータシンボルを受信し、多重化し、変調を行い、シンボルのストリームを提供する。送信器ユニット１２７０は、アクセスポイント１２０５にアンテナ１２３５によって送信されたアップリンク信号を生成するために、シンボルのストリームを受信し、処理する。
【０１３５】
アクセスポイント１２０５で、端末１２３０からのアップリンク信号はアンテナ１２２５によって受信され、サンプルを得るために受信器ユニット１２７５によって処理される。シンボル復調器１２８０は、そのサンプルを処理し、受信したパイロットシンボルとアップリンクに関するデータシンボル推定を提供する。RXデータプロセッサー１２８５は端末１２３０によって送信されたトラフィックデータを回復するために、データシンボル推定を処理する。プロセッサー１２９０は、アップリンクで送信している各々のアクティブな端末に関して、チャネル推定を行う。
【０１３６】
プロセッサー１２９０とプロセッサー１２５０は、アクセスポイント１２０５と端末１２３０の各々での操作を管理（例えば、制御、調整、管理、・・・）する。プロセッサー１２９０及びプロセッサー１２５０の各々はプログラムコード及びデータを格納するための（示されていない）メモリーユニットと結びつけることが可能である。プロセッサー１２９０及びプロセッサー１２５０は、アップリンク及びダウンリンクの各々に関して、周波数応答推定及びインパルス応答推定を得るための計算をも行うことが可能である。
【０１３７】
多重アクセスシステム（例えば、FDMA、OFDMA、CDMA、TDMA、及び同様なもの）に関して、多数の端末がアップリンクで同時に送信することが可能である。これらのシステムに関して、パイロットサブバンドは異なる端末間で共有されるかもしれない。チャネル推定技術は、各々の端末に関するパイロットサブバンドが（できる限り、バンドエッジを除いて）全体のオペレーティングバンドを及ぶ場合、使用されるかもしれない。このようなパイロットサブバンド構造は、各々の端末に関して周波数相違を得ることは望ましいだろう。この中で記述される技術は、様々な手段で実施されるかもしれない。例えば、これらの技術はハードウェア、ソフトウェア、またはその組み合わせで実施されるかもしれない。ハードウェアでの実施に関して、チャネル推定に関して使用されるプロセッシングユニットは、１つ以上の特定用途向けIC（ASICs）、デジタルシグナルプロセッサー（DSPs）、デジタルシグナルプロセッシング装置（DSPDs）、プログラム可能な半導体装置（PLDs）、フィールドプログラマブルゲートアレイ（FPGAs）、プロセッサー、コントローラー、マイクロコントローラー、マイクロプロセッサー、この中で記述される機能を行うように設計された他の電子ユニット、またはその組み合わせであるかもしれない。ソフトウェアでは、実装はこの中で記述された機能を行うモジュール（例えば、手続き、機能等）を介することが可能である。ソフトウェアコードはメモリーユニットの中に格納され、プロセッサー１２９０及びプロセッサー１２５０によって実行されるかもしれない。
【０１３８】
この中に記述された側面は、ハードウェア、ソフトウェア、ファームウェア、またはその任意の組み合わせであるかもしれないということは理解されるべきだ。ソフトウェアで実行された時は、機能はコンピューター読み取り可能な媒体の１つ以上の命令またはコードとして格納または送信されるかもしれない。コンピューター読み取り可能な媒体は、１つの場所から他の場所へのコンピュータープログラムの転送を容易にする任意の媒体を含んでいる通信媒体及びコンピューターストレージ媒体の両方を含む。ストレージ媒体は、一般の目的のコンピューターまたは特定の目的のコンピューターによってアクセスされることが可能である任意の利用可能な媒体であるかもしれない。例によって、限定されないが、このようなコンピューター読み取り可能な媒体はRAM、ROM、EEPROM、CD-ROM、または他の光学ディスクストレージ、磁気ディスクストレージ、または他の磁気ストレージ装置、または、命令またはデータ構造の形式の所望のプログラムコード手段を伝送または格納するために使用されることが可能であり、一般の目的または特定の目的のコンピューターまたは一般の目的または特定の目的のプロセッサーによってアクセスされることが可能である、他の媒体を具備することが可能である。または、任意の接続は適切にコンピューター読み取り可能な媒体と呼ばれる。例えば、もし、ソフトウェアが、ウェブサイト、サーバー、または同軸ケーブル、光ファイバーケーブル、ツイストペア、デジタル加入者線（DSL）、または赤外線、ラジオ、マイクロ波のような無線技術を使用している他の遠隔ソースから送信されると、同軸ケーブル、光ファイバーケーブル、ツイストペア、デジタル加入者線（DSL）、または赤外線、ラジオ、マイクロ波のような無線技術は、媒体の定義に含まれる。この中で使用されるように、ディスク（Disk）及びディクス（disc）は、コンパクトディスク(disc)（CD）、レーザーディスク（登録商標）（disc）、光学ディスク(disc)、デジタルバーサタイルディクス（disc）（DVD）、フロッピー（登録商標）ディスク（disk）、ブルーレイディスク(disc)を含む。ここで、ディスク(disks)は、通常磁気的にデータを再生するのに対して、ディスク(discs)は、レーザーで光学的にデータを再生する。上述の組み合わせは、コンピューター読み取り可能な媒体の範囲内にも含まれるべきだ。
【０１３９】
この中で開示された側面と関連して記述される様々な説明に役立つロジック、ロジックブロック、モジュール、及び回路は、一般的な目的のプロセッサー、デジタルシグナルプロセッサー（DSP）、特定用途向けIC（ASIC）、フィールドプログラマブルゲートアレイ（FPGA）、または他のプログラム可能なロジック装置、ディスクリートゲートまたはトランジスターロジック、ディスクリートハードウェア部品、または、この中に記述された機能を行うように設計された、その組み合わせで実装または実行されるかもしれない。一般的な目的のプロセッサーはマイクロプロセッサーであるかもしれないが、別の方法で、プロセッサーは任意の従来のプロセッサー、コントローラー、マイクロコントローラー、または状態マシーンであるかもしれない。プロセッサーは、コンピューティング装置の組み合わせ、例えば、DSPとマイクロプロセッサーの組み合わせ、多くのマイクロプロセッサー、DSPコア、または他のこのような構成と関連した1つ以上のマイクロプロセッサー、としても実装されるかもしれない。さらに、少なくとも１つのプロセッサーは、上述した１つ以上のステップ及び/またはアクションを行うように作動する１つ以上のモジュールを具備するかもしれない。
【０１４０】
ソフトウェア実装に関して、この中で記述された技術は、この中で記述された機能を行うモジュール（例えば、手続き、機能等）で実装されるかもしれない。ソフトウェアコードは、メモリーユニットに格納され、プロセッサーによって実行されるかもしれない。メモリーユニットは、プロセッサー内部またはプロセッサー外部に実装されるかもしれない。この場合、業界で周知のような様々な手段を介してプロセッサーにコミュニケーティブリーに接続されることが可能である。さらに、少なくとも一つのプロセッサーは、この中に記述された機能を実行するように作動する１つ以上のモジュールを含むかもしれない。
【０１４１】
この中に記述された技術は、CDMA、TDMA、FDMA、OFDA、SC-FDMA、及び他のシステムのような様々な無線通信システムに関して使用されるかもしれない。用語“システム”及び“ネットワーク”はよく互換的に使用されるかもしれない。CDMAシステムはユニバーサルテレストリアルラジオアクセス（UTRA）、CDMA２０００等のようなラジオ技術を実装するかもしれない。UTRAは広帯域符号分割多元接続(W-CDMA)及びCDMAの他の変形を含む。さらに、CDMA２０００はIS-2000基準、IS-95基準、IS-856基準をカバーする。TDMAシステムはモバイル通信に関するグローバルシステム（GSM（登録商標））のようなラジオ技術を実装するかもしれない。OFDMAシステムは、エボルブドユニバーサルテレストリアルラジオアクセス（E-UTRA）、ウルトラモバイルブロードバンド（UMB）、IEEE802.11(Wi-Fi)、IEEE802.16（WiMAX）、IEEE802.20、Flash-OFDM（登録商標）、などのようなラジオ技術を実装するかもしれない。UTRAとE-UTRAは、ユニバーサルモバイルテレコミュニケーションシステム（UMTS）の一部である。３GPPロングタームエボリューション（LTE）は、ダウンリンクにOFDMAを使用し、アップリンクにSC-FDMAを使用するE-UTRAを使用するUMTSのリリースである。UTRA、E-UTRA、UMTS、LTE、GSM（登録商標）は“第３世代パートナーシッププロジェクト”（３GPP）と名づけられた組織からの文書に記述される。さらに、CDMA2000及びUMBは“第３世代パートナーシッププロジェクト２”と名づけられた組織からの文書に記述される。さらに、このような無線通信システムは、不対で非ライセンスの範囲、802.ｘｘ無線LAN、ブルートゥース、及び他の狭いまたは広い範囲の無線通信技術を、しばしば使用しているピアトゥピア（例えば、携帯電話間）アドホックネットワークシステムをさらに含むかもしれない。
【０１４２】
さらに、この中に記述された様々な側面または特徴が、標準のプログラミング及び/またはエンジニアリング技術を使用している方法、装置、または製造の文書のように実施されるかもしれない。この中で使用されるような、用語“製造の文書”は、任意のコンピューター読み取り可能な装置、キャリア、または媒体からアクセス可能なコンピュータープログラムを包含することを意図する。例えば、コンピューター読み取り可能な媒体は、磁気ストレージ装置（例えば、ハードディスク、フロッピー（登録商標）ディスク、磁気ストライプ、など）、光学ディスク（例えば、コンパクトディスク（CD）、ディジタルバーサタイルディスク（DVD）、など）、スマートカード、フラッシュメモリー装置（例えば、EPROM、カード、スティック、キードライブ、など）に限定されないが含むことが可能である。さらに、この中に記述される様々なストレージ媒体は、情報を格納するための１つ以上の装置、及び/または他のマシーン読み取り可能な媒体を表すことが可能である。用語“マシーン読み取り可能な媒体”は命令及び/またはデータを格納し、含み、及び/または伝送することが可能な無線チャネル及び様々な他の媒体、に限定されないが、を含むことが可能である。さらに、コンピュータープログラム製品は、この中に記述された機能をコンピューターに実行させるように作動する１つ以上の命令またはコードを持っているコンピューター読み取り可能な媒体を含むかもしれない。
【０１４３】
さらに、この中に開示された側面と関連して記述された方法またはアルゴリズムのステップ及び/またはアクションは、ハードウェア、プロセッサーによって実行されるソフトウェアモジュール、またはその２つの組み合わせに、直接、具体化されるかもしれない。ソフトウェアモジュールは、RAMメモリー、フラッシュメモリー、ROMメモリー、EPROMメモリー、EEPROMメモリー、レジスタ、ハードディスク、リムーバブルディスク、CD-ROM、または業界で周知のストレージ媒体の他の形式、に存在するかもしれない。例示のストレージ媒体は、プロセッサーがストレージ媒体から情報を読み取り、ストレージ媒体に情報を書き込むことが可能であるように、プロセッサーに接続されるかもしれない。別の方法で、ストレージ媒体はプロセッサーと一体化するかもしれない。さらに、いくつかの側面で、プロセッサー及びストレージ媒体はASIC内に存在するかもしれない。さらに、ASICはユーザー端末に存在するかもしれない。別の方法では、プロセッサー及びストレージ媒体はユーザー端末のディスクリート部品として存在するかもしれない。さらに、いくつかの側面で、方法またはアルゴリズムのステップ及び/またはアクションは、コンピュータープログラム製品内に取り込まれるかもしれないマシーン読み取り可能な媒体及び/またはコンピューター読み取り媒体のコード及び/または命令の１つまたは任意の組み合わせまたはセットとして存在するかもしれない。
【０１４４】
前述の開示は説明の役に立つ側面及びまたは側面を記述したがe、様々な変形と修正が、添付した請求項によって定義されたような側面及びまたは記述された側面の範囲から逸脱することなくここに構成されるということに注意されるべきである。さらに、記述した側面は、添付した請求項の範囲内に落ちるような全ての代替と修正と変形を包含することを意図する。さらに、記述された側面及び/または側面の要素は単数形に記述され、または請求されるかもしれないけれども、もし単数形への限定は明らかには述べられていなければ、複数形が意図される。さらに、任意の側面及び/または側面の全てまたは一部は、他にもし述べられていなければ、他の側面及び/または側面の全てまたは一部で利用されるかもしれない。
【０１４５】
用語“含む”は、詳細な記述または請求項のどちらかで使用されるように拡張するために、このような用語は、請求項の中の暫定の単語として使用される時に、“具備する”が解釈されるように、用語“具備する”と同様な方法で内包されることを意図する。さらに、詳細な記述または請求項のどちらかで使用されるような用語“または”は、排他的な”または“よりもむしろ内包的な”または“を意味することを意図する。つまり、もし特定の他の方法または文脈から明らかでなければ、フレーズ”XはAまたはBを利用する“は自然な内包的な置換のいくつかを意味することを意図する。つまり、フレーズ”XはAまたはBを利用する“は次の例のいくつかによって満たされる。XはAを利用する、XはBを利用する、またはXはAまたはBの両方を利用する。さらに、この出願と添付された請求項で使用されるような冠詞”１つ（a）”及び“１つ（an）”は、もし特定の他の方法または単数形に向けられた文脈から明らかでなければ、”１つ以上“を意味するように一般的に構成されるべきだ。
【図１】
2011516008.tif 000083
【図２】
2011516008.tif 000084
【図３】
2011516008.tif 000085
【図４】
2011516008.tif 000086
【図５】
2011516008.tif 000087
【図６】
2011516008.tif 000088
【図７】
2011516008.tif 000089
【図８】
2011516008.tif 000090
【図９】
2011516008.tif 000091
【図１０】
2011516008.tif 000092
【図１１】
2011516008.tif 000093
【図１２】
2011516008.tif 000094
【手続補正書】
【提出日】平成23年1月27日(2011.1.27)
【手続補正１】
【補正対象書類名】明細書
【補正対象項目名】００８２
【補正方法】変更
【補正の内容】
【００８２】
４０８で、ビットシーケンスはスクランブルされる。このスクランブリングは、４１０で、第１のエスケープシーケンスが複製ビットである、前のスクランブルされたビットを複製することが可能である。４１２で、エスケープシーケンスの残り（もし、あれば）が“１ｓ”を付け加えられる。スクランブリングに関連する更なる情報が次の図を参照して記述されるだろう。
【国際調査報告】
2011516008.tif 000095
2011516008.tif 000096
2011516008.tif 000097